(57)【要約】【課題】  オン、オフを規制するための錠が装備されていないブレーカに簡単な機構で、且つ、異なる機種のブレーカでも後付けで取り付けることが可能なブレーカ用後付け錠を提供する。【解決手段】  ベース部材１０と、先端側がＬ字状に折り曲げられた規制部２３を有する規制部材２０であって、ブレーカ５０のスイッチ５１のオン又はオフの動きを規制する規制部材２０と、規制部材２０の本体２１に取り付けられる固定部材３０であって、ベース部材１０に設けられた第一の挿通孔１４ａと連通するように近接する第二の挿通孔３４ａが設けられ、この状態で第一の挿通孔１４ａと第二の挿通孔３４ａに錠前５を取り付けて施錠することによって規制部材２３を固定する固定部材３０とを備えて構成されてなる。【選択図】図１
2010180530.tif 000002
【特許請求の範囲】
【請求項１】
スイッチのオン、オフを規制するための錠が装備されていないブレーカに後付けで取り付け可能なブレーカ用後付け錠において、
ブレーカに取り付けられるベース部材と、
棒状の本体の先端側がＬ字状に折り曲げられて形成された規制部を有する規制部材であって、前記本体が前記ベース部材に設けられた取付孔に該本体を軸として回動可能に挿通され、それによってブレーカのスイッチのオン又はオフの動きを規制する規制部材と、
前記規制部材の本体に取り付けられる固定部材であって、前記規制部材の本体を回動することによって前記規制部をブレーカのスイッチの動きを阻止する位置に位置させたときに前記ベース部材に設けられた第一の挿通孔と連通するように近接する第二の挿通孔が設けられ、この状態で第一の挿通孔と第二の挿通孔に錠前を取り付けて施錠することによって前記規制部材を固定する固定部材と、
を備えて構成されてなることを特徴とするブレーカ用後付け錠。
【請求項２】
請求項１に記載のブレーカ用後付け錠において、
前記規制部材の本体に取り付ける前記固定部材の取り付け位置は可変可能とされ、それによってブレーカのスイッチの動きを阻止する位置を調整可能とされていることを特徴とするブレーカ用後付け錠。
【請求項３】
請求項１又は２に記載のブレーカ用後付け錠において、
前記固定部材にはベース部材に形成された嵌合部に嵌合する突起部が設けられ、前記突起部と前記嵌合部は前記規制部材の本体を回動することによって前記規制部をブレーカのスイッチの動きを阻止する位置に位置させたときに前記突起部が前記嵌合部に嵌合するようになっていることを特徴とするブレーカ用後付け錠。
【請求項４】
請求項１から３のいずれか１項に記載のブレーカ用後付け錠において、
前記規制部材は角鋼によって形成されていることを特徴とするブレーカ用後付け錠。
【発明の詳細な説明】
【技術分野】
【０００１】
本発明は、ブレーカ用後付け錠に関し、さらに詳しくは、もともと錠が装備されていない市販のブレーカに後付けで取り付けることにより管理者でない者がみだりにブレーカのスイッチをオン、オフすることがないようにするためのブレーカ用後付け錠に関する。
【背景技術】
【０００２】
分電盤に配置され、電源供給の基本的な制御を行うためのブレーカは、一般的に、機械的なスイッチをオン、オフすることによりその操作が行われるようになっている。近年ではこのスイッチのオン、オフの操作を規制するために最初から錠を備えたブレーカが提供されている。例えば、特許文献１には簡単にハンドルロックを行うことができるハンドルロック機構付きブレーカが開示されている。
【０００３】
しかしながら、従来のブレーカはそのような錠が取り付けられていないものが一般的であり、工場や作業現場ではマニュアルや規則などによってブレーカの操作の規制が行われているにすぎなかった。そのため、物理的には誰でもブレーカのスイッチをオン、オフすることができる状態にあり、管理上好ましい状態とはいえなかった。
【０００４】
また、ブレーカのメーカーは、そのような錠機能のないブレーカに対する後付けの錠の提供等はほとんど行っておらず、そのためブレーカのスイッチを管理者以外の者がみだりに操作することができないようにするには上述したような予めスイッチの操作を規制するための錠が取り付けられたブレーカを新規に購入して交換しなければならないことになる。しかしながら、大規模な工場や作業現場においてはその数が膨大であるため多大なコスト負担を余儀なくされる。
【０００５】
さらに、ブレーカを交換するためには通電を停止しなければならず、工場や作業現場ではブレーカの交換のためにその操業を停止するか或いは夜間や休業時など工場がストップしている間に交換工事を行わなければならないという問題があった。
【先行技術文献】
【特許文献】
【０００６】
【特許文献１】特開２００１−１１０２９４号公報
【発明の概要】
【発明が解決しようとする課題】
【０００７】
そこで、本発明が解決しようとする課題は、オン、オフを規制するための錠が装備されていないブレーカに簡単な機構で、且つ、後付けで取り付けることが可能なブレーカ用後付け錠を提供することにある。
また、異なる機種のブレーカでも取り付けることが可能なブレーカ用後付け錠を提供することにある。
【課題を解決するための手段】
【０００８】
上記課題を解決するために請求項１に記載の本発明は、スイッチのオン、オフを規制するための錠が装備されていないブレーカに後付けで取り付け可能なブレーカ用後付け錠において、ブレーカに取り付けられるベース部材と、棒状の本体の先端側がＬ字状に折り曲げられて形成された規制部を有する規制部材であって、本体がベース部材に設けられた取付孔に本体を軸として回動可能に挿通され、それによってブレーカのスイッチのオン又はオフの動きを規制する規制部材と、規制部材の本体に取り付けられる固定部材であって、規制部材の本体を回動することによって規制部をブレーカのスイッチの動きを阻止する位置に位置させたときにベース部材に設けられた第一の挿通孔と連通するように近接する第二の挿通孔が設けられ、この状態で第一の挿通孔と第二の挿通孔に錠前を取り付けて施錠することによって規制部材を固定する固定部材とを備えて構成されてなることを特徴とする。
【０００９】
上記課題を解決するために請求項２に記載の本発明は、請求項１に記載のブレーカ用後付け錠において、規制部材の本体に取り付ける固定部材の取り付け位置は可変可能とされ、それによってブレーカのスイッチの動きを阻止する位置を調整可能とされていることを特徴とする。
【００１０】
上記課題を解決するために請求項３に記載の本発明は、請求項１又は２に記載のブレーカ用後付け錠において、固定部材にはベース部材に形成された嵌合部に嵌合する突起部が設けられ、突起部と嵌合部は規制部材の本体を回動することによって規制部をブレーカのスイッチの動きを阻止する位置に位置させたときに突起部が嵌合部に嵌合するようになっていることを特徴とする。
【００１１】
上記課題を解決するために請求項４に記載の本発明は、請求項１から３のいずれか１項に記載のブレーカ用後付け錠において、規制部材は角鋼によって形成されていることを特徴とする。
【発明の効果】
【００１２】
本発明に係るブレーカ用後付け錠によれば、既設のブレーカに対して後付けでオン、オフを規制する錠を取り付けることができるので、ブレーカのスイッチのオン、オフを物理的に規制することができるので管理の信頼度が向上するという効果がある。また、オン、オフを規制する規制部材の位置を調整可能としたので異なる機種のブレーカにも対応することができるという効果がある。
【００１３】
さらに、本発明に係るブレーカ用後付け錠によれば、新規にブレーカを購入して交換する必要もなく、取り付けに際しても工場や作用現場の操業を停止する必要がないので交換作業にかかる労力及びコストを大幅に削減できるという効果がある。
【図面の簡単な説明】
【００１４】
【図１】本発明に係るブレーカ用後付け錠の一実施形態の斜視図である。
【図２】ブレーカ用後付け錠によりブレーカのスイッチの動きを阻止した状態を示す図である。
【図３】ブレーカ用後付け錠を解放した状態を示す図である。
【図４】（ａ）は施錠状態のブレーカ用後付け錠の正面図、（ｂ）はＡ−Ａ断面図である。
【図５】（ａ）は解放状態のブレーカ用後付け錠の正面図、（ｂ）はＢ−Ｂ断面図である。
【発明を実施するための形態】
【００１５】
本発明に係るブレーカ用後付け錠の好ましい一実施形態について図面を参照しつつ説明する。図１は本発明に係るブレーカ用後付け錠の一実施形態の斜視図、図４（ａ）は施錠状態のブレーカ用後付け錠の正面図、図４（ｂ）はそのＡ−Ａ断面図、図５（ａ）は解放状態のブレーカ用後付け錠の正面図、図５（ｂ）はそのＢ−Ｂ断面図である。
【００１６】
図示されたブレーカ用後付け錠１は、概略として、ブレーカ５０本体に取り付けられるベース部材１０と、ブレーカ５０のスイッチ５１のオン又はオフの動きを規制する規制部材２０と、規制部材２０をベース部材１０に固定するための固定部材３０を備えて構成されている。
【００１７】
ベース部材１０は、例えばステンレスなどの金属製材料によって形成されており、ブレーカ５０本体表面に密接固定される平板状の底板部１１と、底板部１１の上端縁及び下端縁からそれぞれ直角方向に向かって立設された上板部１２及び下板部１３と、底板部１１の左側端縁から立設された側板部１４を備えている。また、下板部１３にはその下側にネジ１５ｂ、１５ｂによって取付部１５が取り付けられており、取付部１５にはブレーカ５０を図示しない分電盤に固定するために予めブレーカ５０に設けられたネジ孔と正対する位置にネジ孔１５ａが穿設されている。
【００１８】
上板部１２と下板部１３はそれぞれ平板状とされており、上板部１２と下板部１３のほぼ中央部には後述する規制部材２０の本体２１を回動可能に挿通するための取付孔１２ａ、１３ａがそれぞれ穿設されている。また、側板部１４も平板状とされると共に、所定の位置に第一の挿通孔１４ａが穿設されている。
【００１９】
規制部材２０は、断面が正方形状をした細長い金属製の棒材によって形成されており、真っ直ぐに伸びた本体２１の先端側をＬ字状に折り曲げるようにして形成された規制部２３を備えている。そして、規制部材２０の本体２１はベース部材１０の上板部１２及び下板部１３に設けられた取付孔１２ａ、１３ａに挿通されるようになっている。取付孔１２ａ、１３ａの平面形状は円形状とされており、これにより取付孔１２ａ、１３ａに挿通された本体２１は長手方向を軸として左右いずれの方向にも回動可能とされている。
【００２０】
本体２１の下端部側の近傍には本体の長手方向に沿って貫通孔２１ａが縦に並んで複数穿設されている。本実施形態では４つの貫通孔２１ａが設けられているがその数に限定されるものでないことはいうまでもない。そして、後述する固定部材３０をこの貫通孔２１ａの少なくとも１つを利用してネジ２１ｂによって取り付けるようになっている。なお、図５（ａ）に示す実施形態では隣り合う２つの貫通孔２１ａを利用して固定部材３０が取り付けられている。このような構成とすることで、規制部材２０の規制部２３の高さ位置を調整可能としたものであり、これにより、異なる機種のブレーカ５０であっても規制部２３をブレーカ５０のスイッチ５１に対して位置合わせを行うことで対応することが可能となる。すなわち、ネジ２１ｂを取り付けるべき貫通孔２１ａを適宜選択することで規制部材２０の取り付け位置を調整することができるようになっている。
【００２１】
固定部材３０は、図４（ｂ）及び図５（ｂ）に示すように、金属製の平板の一方側を直角に折り曲げた折り曲げ部３４を有して形成されており、平板部３２に設けられた２ヶ所の孔部と規制部材２０の本体２１に設けられた貫通孔２１ａとをネジ２１ｂで固定することで上板部１２と下板部１３との間に配置されている。これにより規制部材２０が所定の高さ位置を保持した状態でベース部材１０に取り付けられるようになっている。また、固定部材３０に形成された折り曲げ部３４には第二の挿通孔３４ａが穿設されている。
【００２２】
次に、上述したブレーカ用後付け錠１の動作について説明する。上述の構成を備えたブレーカ用後付け錠１は、ネジ５０ａによってベース部材１０の取付部１５に設けられたネジ孔１５ａを介してブレーカ５０本体に取り付けられる。ブレーカ５０本体にはブレーカ５０を図示しない分電盤に取り付け固定するためのネジ孔が設けられているので分電盤に取り付ける際に同時にブレーカ用後付け錠１を取り付ける。そして、図４（ａ）（ｂ）に示すように、規制部材２０を本体２１を軸として右方向に回動させると規制部２３が右側に向いてオフの状態にあるブレーカ５０のスイッチ５１を上方に移動させてオンにすることを阻止する状態になると共に、固定部材３０の折り曲げ部３４がベース部材１０の側板部１４と密接するように位置するので第一の挿通孔１４ａと第二の挿通孔３４ａが連通する。そして、連通した第一の挿通孔１４ａと第二の挿通孔３４ａに、例えば、南京錠５を施錠することでブレーカ５０のスイッチ５１をオフの状態で固定して誰も操作ができない状態とすることができる。そして、南京錠５の鍵の管理を管理者が行うことでブレーカ５０操作について物理的な管理を行うことが可能となる。
【００２３】
ここで、図４（ａ）に示すように、固定部材３０の下端縁部には突起部３５が設けられていると共に、ベース部材１０の下板部１３の所定位置には突起部３５が嵌合する嵌合部である凹部１３ｂが設けられており、規制部材２０の本体２１を右方向に回動させて側板部１４と折り曲げ部３４とを密接するように位置させたときに突起部３５がベース部材１０の下板部１３に設けられた凹部１３ｂに落とし込まれるようにして嵌合するようになっている。これによって固定部材３０はベース部材１０に確実に固定されるようになっている。尚、凹部１３ｂは貫通孔としてもよい。
【００２４】
一方、図５（ａ）（ｂ）に示すように、南京錠５を解錠し、固定部材３０を上方にやや持ち上げるようにして突起部３５と凹部１３ｂとの嵌合を解除し、今度は規制部材２０を本体２１を軸として左方向に回動させると、規制部２３がブレーカ５０のスイッチ５１から離れ左方向を向くと共に、固定部材３０の折り曲げ部３４の先端がベース部材１０の底板部１１に当接する。これにより、ブレーカ５０のスイッチ５１の操作が自由となり、ブレーカ５０を適宜操作することができる。
【００２５】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００２６】
１      ブレーカ用後付け錠
５      南京錠
１０      ベース部材
１１      底板部
１２      上板部
１２ａ      取付孔
１３      下板部
１３ａ      取付孔
１３ｂ      凹部
１４      側板部
１４ａ      第一の挿通孔
１５      取付部
１５ａ      ネジ孔
１５ｂ      ネジ
２０      規制部材
２１      本体
２１ａ      貫通孔
２１ｂ      ネジ
２３      規制部
３０      固定部材
３２      平板部
３４      折り曲げ部
３４ａ      第二の挿通孔
３５      突起部
５０      ブレーカ
５０ａ      ネジ
５１      スイッチ
【図１】
2010180530.tif 000003
【図２】
2010180530.tif 000004
【図３】
2010180530.tif 000005
【図４】
2010180530.tif 000006
【図５】
2010180530.tif 000007